(57)【要約】【課題】  従来の通信回線網の資源をそのまま活用することにより、新たな管理装置の構築のための開発費および設備投資の費用を必要とすることなく、端末側の改良のみによって着信側利用者および発信側利用者の双方を考慮した優れた通信システムを実現する。【解決手段】  制御部１３は、操作に応じてコマンドおよびデータを入力するキー入力部５から使用状態の情報を通知するコマンドが入力されたときは、使用状態の情報をサーバーに送信し、キー入力部５から他の通信端末装置の使用状態の情報を要求するコマンドが入力されたときは、他の使用状態の情報をサーバーから受信して、表示部４に表示する。【選択図】  図１
2005079765.tif 000002
【特許請求の範囲】
【請求項１】
操作に応じてコマンドおよびデータを入力する入力手段と、
前記入力手段から使用状態の情報を通知するコマンドが入力されたときは当該使用状態の情報を所定の管理装置に送信し、前記入力手段から他の通信端末装置の使用状態の情報を要求するコマンドが入力されたときは当該他の使用状態の情報を前記管理装置から受信して所定の表示手段に表示する通信制御手段と、
を備えた通信端末装置。
【請求項２】
現在時刻を取得する時刻取得手段と、前記管理装置に特定の使用状態の情報を通知する通知時刻を設定する時刻設定手段とをさらに備え、前記通信制御手段は、前記時刻取得手段によって取得された現在時刻が前記時刻設定手段によって設定された通知時刻に達したときに前記特定の使用状態の情報を前記管理装置に通知することを特徴とする請求項１記載の通信端末装置。
【請求項３】
前記通信制御手段は、前記管理装置に通知する前記特定の使用状態の情報が移動中の情報である場合には、所定の加速度検出手段から得られる加速度が所定値を超えていることを検出した場合に移動中である旨の通知を前記管理装置に送信することを特徴とする請求項２記載の通信端末装置。
【請求項４】
前記通信制御手段は、前記管理装置に通知する前記特定の使用状態の情報がスケジュール情報である場合には、所定のスケジュール記憶手段から得られるスケジュール情報を読み出して前記管理装置に送信することを特徴とする請求項２記載の通信端末装置。
【請求項５】
前記通信制御手段は、所定のアドレス記憶手段に記憶されている他の通信端末装置の使用状態の情報を前記管理装置から受信して所定の表示手段に表示することを特徴とする請求項１記載の通信端末装置。
【請求項６】
所定の入力手段の操作に応じてコマンドおよびデータを入力する第１のステップと、
前記第１のステップにより使用状態の情報を通知するコマンドが入力されたときは当該使用状態の情報を所定の管理装置に送信し、前記第１のステップにより他の通信端末装置の使用状態の情報を要求するコマンドが入力されたときは当該他の使用状態の情報を前記管理装置から受信して所定の表示手段に表示する第２のステップと、
を実行する通信情報処理のプログラム。
【請求項７】
現在時刻を取得する第３のステップと、前記管理装置に特定の使用状態の情報を通知する通知時刻を設定する第４のステップとをさらに有し、前記第２のステップは、前記第３のステップによって取得された現在時刻が前記第４のステップによって設定された通知時刻に達したときに前記特定の使用状態の情報を前記管理装置に通知することを特徴とする請求項６記載の通信情報処理のプログラム。
【請求項８】
前記第２のステップは、前記管理装置に通知する前記特定の使用状態の情報が移動中の情報である場合には、所定の加速度検出手段から得られる加速度が所定値を超えていることを検出した場合に移動中である旨の通知を前記管理装置に送信することを特徴とする請求項７記載の通信情報処理のプログラム。
【請求項９】
前記第２にステップは、前記管理装置に通知する前記特定の使用状態の情報がスケジュール情報である場合には、所定のスケジュール記憶手段から得られるスケジュール情報を読み出して前記管理装置に送信することを特徴とする請求項７記載の通信情報処理のプログラム。
【請求項１０】
前記第２のステップは、所定のアドレス記憶手段に記憶されている他の通信端末装置の使用状態の情報を前記管理装置から受信して所定の表示手段に表示することを特徴とする請求項６記載の通信端情報処理のプログラム。
【発明の詳細な説明】
【技術分野】
【０００１】
本発明は、通信端末装置および通信情報処理のプログラムに関し、特に、着信側利用者および発信側利用者の双方を考慮した優れた通信システムを実現する通信端末装置および通信情報処理のプログラムに関するものである。
【背景技術】
【０００２】
携帯電話などの通信機器の着信側利用者および発信側利用者の双方を考慮した通信方法を提供できる通信システムの提案がなされている。この提案によれば、発信側の発側利用の第１通信機器と、着信側の着側利用者の第２通信機器との間の通信を行う際に、着側利用者の現在の状況を示すプレゼンス情報に対応して、前記着側利用者が指定した通信方法を格納手段に格納し、前記第１通信機器に設けられ、前記プレゼンス情報に対応する通信方法のうち、前記発側利用者が所望の通信方法を選択し、選択された通信方法を実行できる指令に従って、前記第１通信機器と前記第２通信機器間の通信について、前記通信方法を実行する。（特許文献１参照）
【特許文献１】特開２００３−１６９１３７号公報
【発明の開示】
【発明が解決しようとする課題】
【０００３】
しかしながら、上記従来の特許文献に記載された提案においては、その実施の形態１および図１、図３ないし図５に示されているように、通信回線網１内に設けられた通信転送装置３、通信制御局４、サービス制御局５からなる管理装置を新たに構築する必要がある。すなわち、図３に示されているサービス制御局５は、各種のデータが格納された格納部５ａと、通信制御局４と通信を行う通信制御局通信部５ｂと、情報転送装置３と通信を行う通信転送装置通信部５ｃと、各部を制御する制御部５ｄとを有する。また、図４に示されている通信制御局４は、サービス制御局５から送信された所定の通信方法の実行指令の生成要求を受信する受信部４ａと、上記要求に基づいて、上記通信方法を実行できる指令を生成する指令生成部４ｂと、指令生成部４ｂにより生成された指令を情報転送装置３へ送信する送信部４ｃとを有する。また、図５に示されている情報転送装置３は、第１の利用者の通信機器２とデータの送受信を行う第１通信部３ａと、第２の利用者の通信機器２とデータの送受信を行う第２通信部３ｂと、通信制御局から送られた指令に基づいて、所定の通信方法実行できるように第１通信部３ａ、第２通信部３ｂ、制御部３ｆを制御する通信制御部３ｄと、通信制御局４やサービス制御局５と各種のデータの通信を行う第３通信部３ｃと、各種データを格納する格納部３ｅと、各部を制御する制御部３ｆとを有する。このような管理装置を新たに構築するためには、開発費および設備投資にかかる費用は相当に大きな額になることが予想される。
【０００４】
本発明は、上記従来の課題を解決するためのものであり、従来の通信回線網の資源をそのまま活用することにより、新たな管理装置の構築のための開発費および設備投資の費用を必要とすることなく、端末側の改良のみによって着信側利用者および発信側利用者の双方を考慮した優れた通信システムを実現する通信端末装置および通信情報処理のプログラムを提供することを目的とする。
【課題を解決するための手段】
【０００５】
請求項１記載の通信端末装置の発明は、操作に応じてコマンドおよびデータを入力する入力手段（実施形態においては、図１のキー入力部５に相当する）と、入力手段から使用状態の情報を通知するコマンドが入力されたときは当該使用状態の情報を所定の管理装置（実施形態においては、サーバーに相当する）に送信し、入力手段から他の通信端末装置の使用状態の情報を要求するコマンドが入力されたときは当該他の使用状態の情報を管理装置から受信して所定の表示手段（実施形態においては、図１の表示部４に相当する）に表示する通信制御手段（実施形態においては、図１の制御部１３に相当する）とを備えた構成になっている。
【０００６】
請求項１の発明において、請求項２に記載したように、現在時刻を取得する時刻取得手段（実施形態においては、図１の制御部１３に相当する）と、管理装置に特定の使用状態の情報（実施形態においては、移動中であることの情報およびスケジュールの情報に相当する）を通知する通知時刻を設定する時刻設定手段（実施形態においては、図１の制御部１３に相当する）とをさらに備え、通信制御手段は、時刻取得手段によって取得された現在時刻が時刻設定手段によって設定された通知時刻に達したときに特定の使用状態の情報を前記管理装置に通知するような構成にしてもよい。
さらに、この場合において、請求項３に記載したように、通信制御手段は、管理装置に通知する特定の使用状態の情報が移動中の情報である場合には、所定の加速度検出手段（実施形態においては、図１の加速度検出部８および加速度センサ８１に相当する）から得られる加速度が所定値を超えていることを検出した場合に移動中である旨の通知を管理装置に送信するような構成にしてもよい。
あるいは、この場合において、請求項４に記載したように、通信制御手段は、管理装置に通知する特定の使用状態の情報がスケジュール情報である場合には、所定のスケジュール記憶手段（実施形態においては、図１のメモリ１６に相当する）から得られるスケジュール情報を読み出して前記管理装置に送信するような構成にしてもよい。
【０００７】
請求項１の発明において、請求項５に記載したように、通信制御手段は、所定のアドレス記憶手段（実施形態においては、図１の加入者情報記憶部１４に相当する）に記憶されている他の通信端末装置の使用状態の情報を管理装置から受信して所定の表示手段に表示するような構成にしてもよい。
【０００８】
請求項６に記載の通信情報処理のプログラムは、所定の入力手段（実施形態においては、図１のキー入力部５に相当する）の操作に応じてコマンドおよびデータを入力する第１のステップと、第１のステップにより使用状態の情報を通知するコマンドが入力されたときは当該使用状態の情報を所定の管理装置（実施形態においては、サーバーに相当する）に送信し、第１のステップにより他の通信端末装置の使用状態の情報を要求するコマンドが入力されたときは当該他の使用状態の情報を管理装置から受信して所定の表示手段（実施形態においては、図１の表示部４に相当する）に表示する第２のステップとを実行する。この場合において、第１のステップおよび第２のステップは、実施形態においては、図１の制御部１３の処理に相当する。
【０００９】
請求項６の発明において、請求項７に記載したように、現在時刻を取得する第３のステップと、管理装置に特定の使用状態の情報を通知する通知時刻を設定する第４のステップとをさらに有し、第２のステップは、第３のステップによって取得された現在時刻が第４のステップによって設定された通知時刻に達したときに特定の使用状態の情報を管理装置に通知するような構成にしてもよい。第３のステップおよび第４のステップは、実施形態においては、図１の制御部１３の処理に相当する。
さらに、この場合において、請求項８に記載したように、第２のステップは、管理装置に通知する特定の使用状態の情報が移動中の情報である場合には、所定の加速度検出手段（実施形態においては、図１の加速度検出部８および加速度センサ８１に相当する）から得られる加速度が所定値を超えていることを検出した場合に移動中である旨の通知を管理装置に送信するような構成にしてもよい。
あるいは、この場合において、請求項９に記載したように、第２にステップは、管理装置に通知する特定の使用状態の情報がスケジュール情報である場合には、所定のスケジュール記憶手段（実施形態においては、図１のメモリ１６に相当する）から得られるスケジュール情報を読み出して前記管理装置に送信するような構成にしてもよい。
【００１０】
請求項６の発明において、請求項１０に記載したように、第２のステップは、所定のアドレス記憶手段（実施形態においては、図１の加入者情報記憶部１４に相当する）に記憶されている他の通信端末装置の使用状態の情報を管理装置から受信して所定の表示手段（実施形態においては、図１の表示部４に相当する）に表示するような構成にしてもよい。
【発明の効果】
【００１１】
本発明の通信端末装置および通信情報処理のプログラムは、従来の通信回線網の資源をそのまま活用することにより、新たな管理装置の構築のための開発費および設備投資の費用を必要とすることなく、端末側の改良のみによって着信側利用者および発信側利用者の双方を考慮した優れた通信システムを実現するという効果が得られる。
【発明を実施するための最良の形態】
【００１２】
以下、本発明による通信端末装置の実施形態について、携帯電話を例に採って図を参照して説明する。
図１は、実施形態における携帯電話の構成を示すブロック図である。まず、機構的な構成について説明する。携帯電話１の本体ケース（図示せず）には、送受信のアンテナ２、音声発生用のスピーカ３、カラー液晶などからなる表示部４、スイッチ入力部５、音声入力用のマイク６、着脱自在な記憶媒体でデータの読み出しおよび書き込みが可能なメモリカード７、携帯電話１のユーザの移動を加速度によって検出する加速度検出部８、リンガ音で着信を通知するスピーカ９が設けられている。スイッチ入力部５には、ダイヤルスイッチと兼用の文字入力スイッチ、クリアスイッチ、カーソルスイッチ、画面において選択されたアイコン画像を決定する決定スイッチ、発信スイッチ、オフフックスイッチ、オンフックスイッチなどが設けられている。また、振動によって着信を通知するバイブレータ１０が本体ケースに内蔵されている。
【００１３】
次に、電気的な構成について説明する。無線送受信部１１は、アンテナ２を介して、変調された音声やデータを送信又は受信する。無線信号処理部１２は、無線送受信部１１によって受信された音声やデータを復調し、無線送受信部１１によって送信される音声やデータを変調する。制御部１３は、システムバスを介してコマンドおよびデータの授受を行ってこの装置全体を制御するとともに、内部に現在時刻を計時する時計１３１を備えている。加入者情報記憶部１４は、アドレス帳エリア、着信履歴エリア、発信履歴エリアなどで構成されている。システムＲＯＭ１５は、制御部１３によって実行される通信制御処理のプログラム、合成音声データ、種々の初期データなどを記憶している。メモリ１６は、制御部１３によって処理されるデータ、例えば、キー入力部５から操作に応じて入力されたスケジュールなどのデータを一時的に記憶するワークエリアであり、各種のレジスタやフラグのエリアが設けられている。
【００１４】
音声信号処理部１７は、通話中の音声信号や合成音声データの音声信号をディジタルからアナログに変換してスピーカ３に与えて発音させるとともに、マイク６からの音声信号をアナログからディジタルに変換して制御部１３に入力する。ドライバ１８は、スピーカ９およびバイブレータ１０を駆動する。ドライバ１９は、表示部４を駆動する。ドライバ２０は、メモリカード７を駆動する。加速度検出部８は、携帯電話１の移動速度の変化である加速度に応じた信号を発生する加速度センサ８１に接続され、その信号を制御部１３が処理可能なディジタルデータに変換する。
【００１５】
次に、図１の構成による実施形態の動作について、携帯電話１の制御部１３のフローチャートである図２ないし図９および表示部４の画面を示す図１０および図１１を参照して説明する。携帯電話１は、電源がオフ状態においても、制御部１３の時計１３１はアクティブ状態であり、電源スイッチの変化を監視するスリープモードの状態になっている。したがって、図２において、最初は電源スイッチの変化を判別する（ステップＳ１）。電源スイッチがオフからオンに変化したときは、フラグＯＮＦを１にセットし（ステップＳ２）、無線送受信部１１および無線信号処理部１２からなる通信機能やその他の各部の機能をアクティブにして、表示部４のバックライトの電源をオンにする（ステップＳ３）。すなわち、この携帯電話１をスリープモードからアクティブモードに遷移させる。この後、又はステップＳ１において電源スイッチに変化がない場合には、ＯＮＦが１であるか否かを判別する（ステップＳ４）。ＯＮＦが１でない場合には、スリープモードであるので、ステップＳ１において電源スイッチの変化の有無を判別する。
【００１６】
一方、ＯＮＦが１でこの携帯電話１がアクティブモードである場合には、フラグＧＦが１であるか否かを判別する（ステップＳ５）。ＧＦが１である場合には使用状態の情報を管理装置に通知し、ＧＦが０である場合には使用状態を秘密にして通知しない。ＧＦが１である場合には、フラグＳＦが０であるか否かを判別する（ステップＳ６）。ＳＦが１である場合にはスケジュール内容を管理装置に通知し、ＳＦが０である場合には通知しない。ステップＳ６においてＳＦが０である場合には、現在の設定がマナーモードであるか否かを判別する（ステップＳ７）。マナーモードである場合には、管理装置であるサーバーにマナーモードである通知を行い（ステップＳ８）、マナーモードでない場合には、サーバーに「待受中」を通知する（ステップＳ９）。ステップＳ５において、ＧＦが０である場合には、サーバーに使用状態の情報を秘密にする旨の「秘密」を通知する（ステップＳ９）。ステップＳ８、ステップＳ９又はステップＳ１０のいずれかにおいてサーバーに通知した後は、待受画面を表示する（ステップＳ１１）。
【００１７】
ステップＳ１において、電源スイッチがオンからオフに変化したときは、フラグＯＮＦが１であるか否かを判別し（ステップＳ１２）、ＯＮＦが１である場合には、サーバーに「ＯＦＦ」を通知して（ステップＳ１３）、無線送受信部１１および無線信号処理部１２からなる通信機能をノンアクティブにして、表示部４のバックライトの電源をオフにする（ステップＳ１４）。すなわち、この携帯電話１をアクティブモードからスリープモードに遷移させる。また、フラグＯＮＦを０にリセットして（ステップＳ１５）、ステップＳ１に移行して電源スイッチの変化の有無を判別する。
【００１８】
ステップＳ１１において待受画面を表示した後は、図３のフローチャートにおいて、着信を検知したか否かを判別する（ステップＳ１７）。着信を検知したときは、現在の使用状態がマナーモードであるか否かを判別する（ステップＳ１８）。マナーモードである場合にはバイブレータ１０を振動させて着信を報知し（ステップＳ１９）、マナーモードでない場合にはスピーカ９の着信音により報知する（ステップＳ２０）。そして、いずれかの着信報知に応じてオフフック操作がされたか否かを判別する（ステップＳ２１）。
【００１９】
オフフック操作がされたときは、ＧＦが１であるか否かを判別し（ステップＳ２２）、ＧＦが１でサーバーに使用状態の情報を通知するモードに設定されている場合には、「通話中」であることを通知する（ステップＳ２３）。この通知の後、又は、ステップＳ２２においてＧＦが０でサーバーに使用状態の情報を通知しないモードに設定されている場合には、通話処理に遷移する（ステップＳ２４）。その後は、オンフック操作がされたか否かを判別し（ステップＳ２５）、オンフック操作がなされたときは回線切断などの終話処理回を行って（ステップＳ２６）、図２のステップＳ１に移行して電源スイッチの変化の有無を判別する。
【００２０】
図３のステップＳ１７において、着信を検知しない場合には、図４のフローチャートにおいて、オフフック操作がされたか否かを判別する（ステップＳ２７）、オフフック操作がされたときは番号入力処理をおこなう（ステップＳ２８）。すなわち、表示部４に番号入力画面を表示し、キー入力部５からの番号入力に応じて、その入力番号をストアするとともに表示部４にその番号を表示する。次に、発信スイッチの操作に応じてストアした番号を最寄りの基地局に対して発信する呼出処理を行う（ステップＳ２９）。そして、回線接続が確立したか否かを判別し（ステップＳ３０）、回線接続が確立したときは、ＧＦが１であるか否かを判別する（ステップＳ３１）。ＧＦが１である場合には、サーバーに「電話中」の通知を行い（ステップＳ３２）、ＧＦが０である場合にはサーバーへの通知をせずに、通話処理に遷移する（ステップＳ３３）。通話処理においては、オンフック操作がされたか否かを判別し（ステップＳ３４）、オンフック操作がされたときは終話処理を行って（ステップＳ３５）、図２のステップＳ１に移行して電源スイッチの変化の有無を判別する。
【００２１】
図４のステップＳ２７において、オフフック操作がされない場合には、図５のフローチャートにおいて、メニュースイッチがオンされたか否かを判別する（ステップＳ３６）。このスイッチがオンされたときは、メニューリストを表示して（ステップＳ３７）、１つのメニュー（例えば、先頭のメニュー）にフォーカスを当てる（ステップＳ３８）。すなわち、そのメニューの表示態様（例えば、表示色）を他のメニューとは異なるものに変更する。次に、カーソルスイッチがオンされたか否かを判別し（ステップＳ３９）、このスイッチがオンされたときは、フォーカス位置を移動する（ステップＳ４０）。そして、決定スイッチがオンされたか否かを判別する（ステップＳ４１）。
【００２２】
決定スイッチがオンされたときは、フォーカス位置が状態通知であるか否かを判別する（ステップＳ４２）。フォーカス位置が状態通知である場合には、使用状態の通知を「可」又は「不可」に設定する状態通知可否画面を表示する（ステップＳ４３）。通知「可」が選択されたか否かを判別し（ステップＳ４４）、通知「可」が選択されたときはＧＦを１にセットする（ステップＳ４５）。通知「可」が選択されない場合には、通知「不可」が選択されたか否かを判別し（ステップＳ４６）、通知「不可」が選択されたときはＧＦを０にリセットする（ステップＳ４７）。ＧＦを０にリセットした後は、図２のステップＳ１に移行して電源スイッチの変化の有無を判別する。
【００２３】
ＧＦを１にセットした後は、図６のフローチャートにおいて、スケジュール連動可否選択画面を表示する（ステップＳ４８）。すなわち、サーバーに対してスケジュールの通知を「可」とするか又は通知を「不可」とするかの選択画面を表示する。通知「可」が選択されたか否かを判別し（ステップＳ４９）、「可」が選択されたときはフラグＳＦを１にセットする（ステップＳ５０）。「可」が選択されない場合には、通知「不可」が選択されたか否かを判別し（ステップＳ５１）、「不可」が選択されたときはＳＦを０にリセットする（ステップＳ５２）。ＳＦをセット又はリセットした後は、図２のステップＳ１に移行して電源スイッチの変化の有無を判別する。
【００２４】
図５のステップＳ４２において、フォーカス位置が状態通知でない場合には、図７のフローチャートにおいて、フォーカス位置が状態表示であるか否かを判別する（ステップＳ５３）。フォーカス位置が状態表示である場合には、アドレス帳にある個人識別データと共に状態データを取得する要求をサーバーに送信する（ステップＳ５４）。そして、サーバーから状態データを受信したか否かを判別し（ステップＳ５５）、受信したときは、各個人の状態データを表示する（ステップＳ５６）。図１０は、各個人の状態データの一例を示す図である。この場合において、カーソルスイッチおよび決定スイッチの操作に応じて、スケジュールを通知している個人の詳細な内容を表示する構成にしてもよい。図１１は、詳細なスケジュールを表示した例を示す図である。各個人の状態データが表示されている場合に、クリアスイッチがオンされたか否かを判別し（ステップＳ５７）、このスイッチがオンされたときは、図２のフローチャートのステップＳ１１に移行して、待受画面を表示する。
【００２５】
図５のステップＳ３６において、メニュースイッチがオンでない場合には、図８のフローチャートにおいて、ＧＦが１であるか否かを判別し（ステップＳ５８）、ＧＦが１である場合には、現在時刻を時計１３１から取得する（ステップＳ５９）。次に、取得した現在時刻があらかじめ設定している移動検出時間に達しているか否かを判別する（ステップＳ６０）。移動検出時間に達している場合には、加速度検出部８を介して加速度センサ８１を作動させる（ステップＳ６１）。そして、加速度センサ８１から得られる加速度信号に加速度検出部８によって所定の信号変換処理を施して、加速度が所定値を超えているか否かを判別する（ステップＳ６２）。
【００２６】
加速度が所定値を超えている場合には、フラグＭＦを１にセットして（ステップＳ６３）、サーバーに「移動中」と通知する（ステップＳ６４）。この通知の後、又はステップＳ５８においてＧＦが０である場合には、図２のフローチャートのステップＳ１１に移行して、待受画面を表示する。ステップＳ６２において、加速度が所定値以下である場合には、ＭＦが１であるか否かを判別し（ステップＳ６５）、ＭＦが１である場合にはこれを０にリセットして（ステップＳ６６）、図２のステップＳ６に移行して、ＳＦが０であるか否かを判別する。一方、ステップＳ６５においてＭＦがすでに０になっている場合には、図２のフローチャートのステップＳ１１に移行して、待受画面を表示する。
【００２７】
ステップＳ６０において、現在時刻が移動検出時間でない場合には、図９のフローチャートにおいて、ＳＦが１であるか否かを判別し（ステップＳ６７）、ＳＦが１である場合、又は、図２のステップＳ１６において現在時刻を取得したときは、現在時刻がスケジュール検出時間に達したか否かを判別する（ステップＳ６８）。スケジュール検出時間に達している場合には、メモリ１６の該当エリアを検索してスケジュールの内容を調べる（ステップＳ６９）。そして、スケジュールがあるか否かを判別し（ステップＳ７０）、スケジュールがある場合には、サーバーにスケジュールの内容を通知する（ステップＳ７１）。この後は、図２のフローチャートのステップＳ１１に移行して、待受画面を表示する。
【００２８】
以上のように、この実施形態によれば、制御部１３は、操作に応じてコマンドおよびデータを入力するキー入力部５から使用状態の情報を通知するコマンドが入力されたときは、使用状態の情報をサーバーに送信し、キー入力部５から他の通信端末装置の使用状態の情報を要求するコマンドが入力されたときは、他の使用状態の情報をサーバーから受信して、表示部４に表示する。サーバーに送信する使用状態の情報には、例えば、図１０の画面に示したように、着信が可能な待受中又はマナーモード、着信できない電話中、着信が不安定な移動中、着信側利用者の様子が分かるスケジュールがある。したがって、従来の通信回線網の資源をそのまま活用することにより、新たな管理装置の構築のための開発費および設備投資の費用を必要とすることなく、端末側の改良のみによって着信側利用者および発信側利用者の双方を考慮した優れた通信システムを実現する。
また、この場合において、制御部１３は、加入者情報記憶部１４のアドレス帳に記憶されている個人の携帯電話の使用状態の情報をサーバーから受信して表示部４に表示する。したがって、アドレス帳をグループ分けするように構成して、必要な個人の携帯電話の使用状態の情報をサーバーから受信することも可能である。
【００２９】
なお、上記実施形態においては、システムＲＯＭ１５にあらかじめ記憶されている通信情報処理のプログラムを制御部１３が実行する装置の発明について説明したが、着脱自在のメモリカード７から読み込まれた通信情報処理のプログラム、又は、無線送受信部１１によってネットワークを介して外部のサーバーなどからダウンロードされた通信情報処理のプログラムを書き込み可能な不揮発性メモリなどで構成されたシステムＲＯＭにインストールし、その通信情報処理のプログラムを制御部１３が実行するような構成も可能である。この場合には、プログラムの発明を実現する。
【００３０】
すなわち、そのプログラムは、所定の入力手段の操作に応じてコマンドおよびデータを入力する第１のステップと、第１のステップにより使用状態の情報を通知するコマンドが入力されたときは当該使用状態の情報を所定の管理装置に送信し、第１のステップにより他の通信端末装置の使用状態の情報を要求するコマンドが入力されたときは当該他の使用状態の情報を管理装置から受信して所定の表示手段に表示する第２のステップとを実行する。
【００３１】
また、このプログラムにおいて、現在時刻を取得する第３のステップと、管理装置に特定の使用状態の情報を通知する通知時刻を設定する第４のステップとをさらに有し、第２のステップは、第３のステップによって取得された現在時刻が第４のステップによって設定された通知時刻に達したときに前記特定の使用状態の情報を管理装置に通知する。
この場合において、第２のステップは、管理装置に通知する特定の使用状態の情報が移動中の情報である場合には、所定の加速度検出手段から得られる加速度が所定値を超えていることを検出した場合に移動中である旨の通知を管理装置に送信する。
あるいは、この場合において、第２にステップは、管理装置に通知する特定の使用状態の情報がスケジュール情報である場合には、所定のスケジュール記憶手段から得られるスケジュール情報を読み出して管理装置に送信する。
【００３２】
また、このプログラムにおいて、第２のステップは、所定のアドレス記憶手段に記憶されている他の通信端末装置の使用状態の情報を管理装置から受信して所定の表示手段に表示する。
【図面の簡単な説明】
【００３３】
【図１】本発明の各実施例における携帯電話の構成を示すブロック図。
【図２】本発明の実施形態における携帯電話の動作を示すフローチャート。
【図３】図２に続く携帯電話のフローチャート。
【図４】図３に続く携帯電話のフローチャート。
【図５】図４に続く携帯電話のフローチャート。
【図６】図５に続く携帯電話のフローチャート。
【図７】図５に続く携帯電話のフローチャート。
【図８】図５に続く携帯電話のフローチャート。
【図９】図８に続く携帯電話のフローチャート。
【図１０】図１の表示部に表示された使用状態の情報の画面を示す図。
【図１１】図１０におけるスケジュールの情報の詳細な画面を示す図。
【符号の説明】
【００３４】
１  携帯電話
２  アンテナ
３  音声発生用スピーカ
４  表示部
５  キー入力部
６  マイク
７  メモリカード
８  加速度検出部
９  着信通知用スピーカ
１０  バイブレータ
１１  無線送受信部
１２  無線信号処理部
１３  制御部
１４  加入者情報記憶部
１５  システムＲＯＭ
１６  メモリ
１７  音声信号処理部
１８  着信報知用ドライバ
１９  表示用ドライバ
２０  メモリカード用ドライバ
８１  加速度センサ
【図１】
2005079765.tif 000003
【図２】
2005079765.tif 000004
【図３】
2005079765.tif 000005
【図４】
2005079765.tif 000006
【図５】
2005079765.tif 000007
【図６】
2005079765.tif 000008
【図７】
2005079765.tif 000009
【図８】
2005079765.tif 000010
【図９】
2005079765.tif 000011
【図１０】
2005079765.tif 000012
【図１１】
2005079765.tif 000013